(57)【要約】【課題】スルー画表示可能なデジタルカメラにおいて、記録用撮像素子と被写体像観察用の撮像素子による被写体像を切り換えて表示する場合に、記録用撮像素子の出力を有効に活用しつつ、視野率の相違を撮影者が意識することなく、直感的に撮影範囲を認識できるようにする。【解決手段】被写体像記録用のメインＣＣＤ２２１で取得された画像データに基づいてスルー画表示を行う第１のスルー画表示動作と、被写体像観察用のファインダ光学系中に配置されたファインダ内ＣＣＤ２７９で取得された画像データに基づいてスルー画表示動作を行う第２のスルー画表示動作が選択可能であり、視野率に応じてファインダ内ＣＣＤ２７９で取得された画像データを加工するスルー画関連部位５０を具備する。視野率が１００％未満の場合には、ファインダ内ＣＣＤ２７９で取得された被写体像３０１の縮小画像と黒枠３０９を合成して表示する。【選択図】  図１２
2007281952.tif 000002
【特許請求の範囲】
【請求項１】
被写体像記録用の第１の撮像素子で取得された画像データに基づいてスルー画表示を行う第１のスルー画表示動作と、被写体像観察用のファインダ光学系中に配置された第２の撮像素子で取得された画像データに基づいてスルー画表示動作を行う第２のスルー画表示動作を選択可能なデジタルカメラにおいて、
上記ファインダ光学系の視野率に応じて上記第２の撮像素子で取得された画像データを加工する画像処理手段を具備していることを特徴とするデジタルカメラ。
【請求項２】
上記画像処理手段は、上記視野率が１未満の場合には、上記視野率に応じて上記第２の撮像素子で取得された画像データを縮小することを特徴とする請求項１に記載のデジタルカメラ。
【請求項３】
上記画像処理手段は、上記縮小された画像データの周囲に所定の枠画像を合成して、上記第２のスルー画表示用の画像を生成することを特徴とする請求項２に記載のデジタルカメラ。
【請求項４】
上記画像処理手段は、上記視野率が１以上の場合には、上記第２の撮像素子で取得された画像データの上記第１スルー画表示動作の撮像領域に一致する領域を切り出して拡大することを特徴とする請求項１に記載のデジタルカメラ。
【請求項５】
製造段階で測定された個別の視野率データを記憶している不揮発性メモリを含み、上記画像処理手段は上記不揮発性メモリから読み出された上記視野率データに基づいて上記第２の撮像素子で取得された画像データを加工することを特徴とする請求項１乃至４に記載のデジタルカメラ。
【請求項６】
上記画像処理手段は、上記第１のスルー画表示の被写体像の大きさと、上記第２のスルー画像の被写体像の大きさがほぼ同じとなるように上記画像データの縮小または拡大を行うことを特徴とする請求項１に記載のデジタルカメラ。
【請求項７】
被写体像記録用の第１の撮像素子で取得された画像データに基づいてスルー画表示を行う第１のスルー画表示動作と、被写体像観察用に配置された第２の撮像素子で取得された画像データに基づいてスルー画表示動作を行う第２のスルー画表示動作を選択可能なデジタルカメラにおいて、
上記第１のスルー画表示における被写体像の大きさと、上記第２のスルー画表示における被写体像の大きさがほぼ同じとなるように画像データを加工する画像処理手段を具備していることを特徴とするデジタルカメラ。
【請求項８】
被写体像記録用の第１の撮像素子で取得された画像データに基づいてスルー画表示を行う第１のスルー画表示動作と、被写体像観察用に配置された第２の撮像素子で取得された画像データに基づいてスルー画表示動作を行う第２のスルー画表示動作を選択可能なデジタルカメラにおいて、
上記第１のスルー画表示における視野領域と、上記第２のスルー画表示における視野領域がほぼ同じとなるように画像データを加工する画像処理手段を具備していることを特徴とするデジタルカメラ。
【請求項９】
被写体像観察用のファインダ光学系中に配置された撮像素子で取得された画像データに基づいてスルー画表示動作を行うことが可能なデジタルカメラにおいて、
上記ファインダ光学系の視野率に応じて上記撮像素子で取得された画像データを加工する画像処理手段を具備していることを特徴とするデジタルカメラ。
【請求項１０】
上記画像処理手段は、上記視野率が１未満の場合には、上記視野率に応じて上記撮像素子で取得された画像データを縮小することを特徴とする請求項９に記載のデジタルカメラ。
【請求項１１】
上記画像処理手段は、上記縮小された画像データの周囲に所定の枠画像を合成して、上記スルー画表示用の画像を生成することを特徴とする請求項１０に記載のデジタルカメラ。
【請求項１２】
製造段階で測定された個別の視野率データを記憶している不揮発性メモリを含み、上記画像処理手段は上記不揮発性メモリから読み出された上記視野率データに基づいて上記撮像素子で取得された画像データを加工することを特徴とする請求項９乃至１２に記載のデジタルカメラ。
【発明の詳細な説明】
【技術分野】
【０００１】
本発明は、スルー画表示機能を有するデジタルカメラに関し、詳しくは、撮像素子で繰り返し取得した画像を表示装置に動画像として表示する所謂スルー画表示機能（ライブビュー表示機能、電子ファインダ機能とも言う）を有するデジタルカメラに関する。
【背景技術】
【０００２】
従来のデジタルカメラにおいては、被写体像の観察は、光学式ファインダにより行っていたが、最近は、光学式ファインダと共に、または光学式ファインダをなくし、被写体画像データの記録用に設けられている撮像素子の出力を表示用にも利用している。即ち、撮像素子で取得した画像を、被写体像観察用に液晶モニタ等の表示装置によって表示するスルー画像表示機能を有しているものが提案されている。
【０００３】
このようなデジタルカメラにおいて、さらに被写体像観察用にファインダ光学系中に第２の撮像素子を配置し、この撮像素子の出力と被写体像記録用の撮像素子の出力を切り換えて、被写体像を液晶モニタ等に表示するデジタルカメラも提案されている。しかしながら、被写体像記録用の撮像素子とファインダ光学系中に配置した撮像素子では、同一の光学系ではないことから倍率や視野率が相違してしまうという課題がある。この課題を解決するものとして、デジタルカメラ機能付きの双眼鏡であるが、特許文献１に開示されるような方法がある。すなわち、この特許文献１には、撮影光学系の視野領域Ｖ１を観察用光学系の視野領域Ｖ２よりも広くとり、撮影光学系の視野領域Ｖ１に対応する画像データから観察用の視野領域Ｖ２の画像データを切り出し、この切り出された画像データを表示装置に表示すると共に、記録媒体に記録することが開示されている。
【特許文献１】特開２００４−１５９１３５号公報
【発明の開示】
【発明が解決しようとする課題】
【０００４】
特許文献１に開示された従来技術では、視野率が相違することは解決されるが、観察用の視野領域Ｖ２に一致させるために記録用の撮像素子で取得した画像データの一部を棄てており、画像データを有効に活用することができない。つまり、ファインダの視野に記録画像の視野を合わせており、本来記録されるべき画像に合わせるのが効率的であるのに対して、特許文献１の開示では逆になっている。従来のファインダ光学系中に第２の撮像素子を用いるやり方では特許文献１での問題点は解消されるが、前述の如くファインダ像と撮影した画像の視野が異なってしまう。
【０００５】
本発明は、このような事情を鑑みてなされたものであり、記録用撮像素子の出力によって被写体像を表示する場合でも、被写体像観察用の撮像素子によって被写体像を表示する場合でも、記録用撮像素子の出力を有効に活用しつつ、視野率の相違を撮影者が意識することなく、直感的に撮影範囲を認識できるようにしたスルー画表示可能なデジタルカメラを提供することを目的とする。
【課題を解決するための手段】
【０００６】
上記目的を達成するため第１の発明に係わるデジタルカメラは、被写体像記録用の第１の撮像素子で取得された画像データに基づいてスルー画表示を行う第１のスルー画表示動作と、被写体像観察用のファインダ光学系中に配置された第２の撮像素子で取得された画像データに基づいてスルー画表示動作を行う第２のスルー画表示動作を選択可能なデジタルカメラにおいて、上記ファインダ光学系の視野率に応じて上記第２の撮像素子で取得された画像データを加工する画像処理手段を具備する。
【０００７】
また、第２の発明に係わるデジタルカメラは、上記第1の発明において、上記画像処理手段は、上記視野率が１未満の場合には、上記視野率に応じて上記第２の撮像素子で取得された画像データを縮小する。
さらに、第３の発明に係わるデジタルカメラは、上記第２の発明において、上記画像処理手段は、上記縮小された画像データの周囲に所定の枠画像を合成して、上記第２のスルー画表示用の画像を生成する。
さらに、第４の発明に係わるデジタルカメラは、上記第1の発明において、上記画像処理手段は、上記視野率が１以上の場合には、上記第２の撮像素子で取得された画像データの上記第１スルー画表示動作の撮像領域に一致する領域を切り出して拡大する。
さらに、第５の発明に係わるデジタルカメラは、上記第1乃至第４の発明において、製造段階で測定された個別の視野率データを記憶している不揮発性メモリを含み、上記画像処理手段は上記不揮発性メモリから読み出された上記視野率データに基づいて上記第２の撮像素子で取得された画像データを加工する。
さらに、第６の発明に係わるデジタルカメラは、上記第1の発明において、上記第１のスルー画表示の被写体像の大きさと、上記第２のスルー画像の被写体像の大きさがほぼ同じとなるように上記画像データの縮小または拡大を行う。
【０００８】
上記目的を達成するため第７の発明に係わるデジタルカメラは、被写体像記録用の第１の撮像素子で取得された画像データに基づいてスルー画表示を行う第１のスルー画表示動作と、被写体像観察用に配置された第２の撮像素子で取得された画像データに基づいてスルー画表示動作を行う第２のスルー画表示動作を選択可能なデジタルカメラにおいて、上記第１のスルー画表示における被写体像の大きさと、上記第２のスルー画表示における被写体像の大きさがほぼ同じとなるように画像データを加工する画像処理手段を具備する。
上記目的を達成するため第８の発明に係わるデジタルカメラは、被写体像記録用の第１の撮像素子で取得された画像データに基づいてスルー画表示を行う第１のスルー画表示動作と、被写体像観察用に配置された第２の撮像素子で取得された画像データに基づいてスルー画表示動作を行う第２のスルー画表示動作を選択可能なデジタルカメラにおいて、上記第１のスルー画表示における視野領域と、上記第２のスルー画表示における視野領域がほぼ同じとなるように画像データを加工する画像処理手段を具備する。
【０００９】
上記目的を達成するため第９の発明に係わるデジタルカメラは、被写体像観察用のファインダ光学系中に配置された撮像素子で取得された画像データに基づいてスルー画表示動作を行うことが可能なデジタルカメラにおいて、上記ファインダ光学系の視野率に応じて上記撮像素子で取得された画像データを加工する画像処理手段を具備する。
【００１０】
また、第１０の発明に係わるデジタルカメラは、上記第９の発明において、上記画像処理手段は、上記視野率が１未満の場合には、上記視野率に応じて上記撮像素子で取得された画像データを縮小する。
さらに、第１１の発明に係わるデジタルカメラは、上記第１０の発明において、上記画像処理手段は、上記縮小された画像データの周囲に所定の枠画像を合成して、上記スルー画表示用の画像を生成する。
さらに、第１２の発明に係わるデジタルカメラは、上記第９乃至第１１の発明において、製造段階で測定された個別の視野率データを記憶している不揮発性メモリを含み、上記画像処理手段は上記不揮発性メモリから読み出された上記視野率データに基づいて上記撮像素子で取得された画像データを加工する。
【発明の効果】
【００１１】
本発明のデジタルカメラは、ファインダ光学系の視野率に応じて第２の撮像素子で取得された画像データを加工する画像処理手段を具備するようにしたので、記録用撮像素子の出力を有効に活用しつつ、視野率の相違を撮影者が意識することなく、直感的に撮影範囲を認識できるようにしたスルー画表示可能なデジタルカメラを提供することができる。また、第１のスルー画表示における被写体像の大きさと、第２のスルー画表示における被写体像の大きさがほぼ同じとなるように画像データを加工する画像処理手段を具備するようにしたので、被写体像の大きさの相違を撮影者が意識することなく、直感的に撮影範囲を認識できるようにしたスルー画表示可能なデジタルカメラを提供することができる。さらに、第１のスルー画表示における視野領域と、第２のスルー画表示における視野領域がほぼ同じとなるように画像データを加工する画像処理手段を具備するようにしたので、視野領域の相違を撮影者が意識することなく、直感的に撮影範囲を認識できるようにしたスルー画表示可能なデジタルカメラを提供することができる。さらに、ファインダ光学系の視野率に応じて撮像素子で取得された画像データを加工する画像処理手段を具備するようにしたので、ファインダ視野率に応じて画像データを処理することができ、直感的に撮影範囲を認識できる。
【発明を実施するための最良の形態】
【００１２】
以下、図面を参照してこの発明を実施するための一実施形態を説明する。
図１は、この発明が適用されたデジタル一眼レフカメラの外観斜視図である。この一眼レフカメラは、カメラ本体２０と、交換レンズとしてのレンズ鏡筒１０とから構成されている。レンズ鏡筒１０はカメラ本体２０の前面のマウント部に着脱自在となっている。なお、本実施形態では、レンズ鏡筒１０とカメラ本体２０は別体で構成され、図示しない通信接点を介して電気的に接続されているが、レンズ鏡筒１０とカメラ本体２０を一体に構成することも可能である。
【００１３】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子の出力に基づいて被写体像の画像データの取り込みを行う撮影動作を実行する。
【００１４】
モードダイヤル２２は回転可能に構成された操作部材であり、モードダイヤル上の図示しない撮影モードを表す絵表示を指標に合致させることにより、プログラムモード、絞り優先モード、シャッタ優先モード、ポートレートモード、オートモード等の撮影モードを選択することができる。パワースイッチレバー２３はデジタル一眼レフカメラの電源のオン・オフを行うための操作部材であり、オン・オフの２つの位置に回動可能に構成されている。コントロールダイヤル２４は、シャッタ速度、絞り値、感度、補正値等の撮影情報の設定を行うための操作部材であり、回転操作により種々の設定値の変更を行うことができる。
【００１５】
カメラ本体２０の背面には、液晶モニタ２６、再生釦２７、メニュー釦２８、十字キー３０、ＯＫ釦３１、ファインダ３３、スルー画切換釦３４、表示切換釦３５、プレビュー釦３６が配置されている。再生釦２７は、撮影後に液晶モニタ２６に記録した被写体画像表示を指示するための操作釦である。後述するＳＤＲＡＭ２３７や記録媒体２４５にＪＰＥＧ等の圧縮モードで記憶されている被写体の画像データを伸張して表示する。十字キー３０は液晶モニタ２６上で、Ｘ方向とＹ方向の2次元方向にカーソルの移動を指示するための操作部材である。ＯＫ釦３１は、十字キー３０等によって選択された各種項目を確定するための操作部材である。メニュー釦２８は、メニューモードに切換えるための釦であり、この釦２８の操作によってメニューモードを選択すると、液晶モニタ２６にメニュー画面が表示される。メニュー画面は複数の階層構造となっており、十字キー３０で各種項目を選択し、ＯＫ釦３１の操作により選択を決定する。
【００１６】
表示切換釦３５は、撮像素子の出力に基づいて液晶モニタ２６に被写体像を表示するスルー画表示に切換えるための操作部材である。スルー画表示にあたって後述するように本実施形態のデジタル一眼レフカメラでは、Aモード表示とBモード表示の２種類があり、スルー画切換釦３４はこれら２つのモード表示を切換えるための操作釦である。プレビュー釦３６は、被写体像の観察時に焦点深度を確認するために、撮影レンズの絞りを開放状態から絞り込むための指令を出すための操作釦である。これらの再生釦２７、メニュー釦２４、スルー画切換釦３４、表示切換釦３５、プレビュー釦３６はいずれもオン・オフスイッチと連動しており、操作釦の操作に応じて発生する信号が後述するＡＳＩＣ(Application Specific Integrated Circuit  特定用途向け集積回路)２６３に送信される。液晶モニタ２６は、被写体像を観察用にスルー画として表示したり、撮影済みの被写体像を再生表示したり、カメラ情報やメニューを表示するための表示装置である。これらの表示を行うことができるものであれば、液晶に限らない。図示されないが、カメラ本体２０に対して角度を自在に変更できるよう構成されている。
【００１７】
図２は、本発明の実施形態に係わるデジタル一眼レフレックスカメラの光学的な概略構成を示すブロック図である。
レンズ鏡筒１０の内部に配置された撮影レンズ１０１の光軸上であって、カメラ本体２０内に第１反射ミラー２０１が配置されている。この第１反射ミラー２０１は、被写体光束をファインダ光学系に反射するために撮影レンズ１０１の光軸に対して４５度傾いた位置と、被写体像を撮像素子(後述のメインＣＣＤ（Charge Coupled Device）２２１)に導くために、撮影光路から退避した位置とに回動可能となっている。第1反射ミラー２０１の回動軸２０１ａはカメラ本体２０の高さ方向に沿っており、符号Ｒ回りに回動可能となっている。この第１反射ミラー２０１によって、カメラ本体２０の前面からみて右方に被写体光束を全反射する。なお、本実施形態では、右方に全反射しているが、これに限らず、カメラ本体の上方でも左方でも、被写体光束の反射方向は機構部材や光学部材の配置上、最も適切になるように選択してよい。また、光路変更部材として、可動ミラーを使用しているが、これに限らず、透過状態と反射状態を電気的に切換可能な液晶ミラー等、光路を変更できる部材であればよい。
【００１８】
第1反射ミラー２０１の反射光軸上にスクリーンマット２０５が配置され、この後方にハーフミラーで構成された第２反射ミラー２７１が配置されている。スクリーンマット２０５は撮影レンズ１０１による被写体光束を結像させるためのマット面であり、第１反射ミラー２０１からの距離がメインＣＣＤ２２１（図３参照）と等価な位置に配設されている。第２反射ミラー２７１はカメラ本体２０の上方に被写体光束の一部を反射させ、残りの被写体光束は第２反射ミラー２７１を透過し、後方に配置された測光用センサ２８１に入射する。測光用センサ２８１は被写体輝度を測定するための７×７の分割測光センサであり、ＡＳＩＣ２６３内の入出力回路２３９に接続されている。
【００１９】
第２反射ミラー２７１の反射光軸上に第３反射ミラー２７３が配置されており、この第３反射ミラー２７３によって、カメラ本体２０の上部左方に被写体光束が全反射される。この第３反射ミラー２７３の反射光軸上にハーフミラーで構成される第４反射ミラー２７５が配置されている。この第４反射ミラー２７５の透過光軸上には、結像レンズ２７７と二次元撮像素子としてファインダ内ＣＣＤ２７９が配置されている。ファインダ内ＣＣＤ２７９は、スクリーンマット２０５上に形成された被写体像を光電信号に変換しＣＣＤ駆動回路２８３（図３）に出力する。また、第４反射ミラー２７５はカメラ本体２０の後方に残りの被写体光束を反射し、この反射光軸上に接眼レンズ２０９が配置されている。第４反射ミラーで反射された被写体光束は、接眼レンズ２０９、ファインダ３３（図１）を通して撮影者Ｅによって被写体像として観察される。
【００２０】
図３は、本実施形態に係るデジタル一眼レフカメラの全体構成を示すブロック図である。
レンズ鏡筒１０の内部には、ピント調節および焦点距離調節用の撮影レンズ１０１ａ、１０１ｂと、開口量を調節するための絞り１０３が配置されている。レンズ１０１ａおよびレンズ１０１ｂはレンズ駆動機構１０７によって駆動され、絞り１０３は絞り駆動機構１０９によって駆動される。これらのレンズ駆動機構１０７、絞り駆動機構１０９はそれぞれレンズＣＰＵ１１１に接続されており、このレンズＣＰＵ１１１は図示しない通信接点を介してカメラ本体２０に接続されている。レンズＣＰＵ１１１はレンズ鏡筒１０内の制御を行うものであり、レンズ駆動機構１０７を制御してピント合わせや、ズーム駆動を行うとともに、絞り駆動機構１０９を制御して絞り値制御を行う。
【００２１】
カメラ本体２０内には、前述した第１反射ミラー２０１が配置されており、第１反射ミラー２０１の右方（図３では、作図上、第１反射ミラー２０１の上方となっている）には、被写体像を結像するために前述のスクリーンマット２０５が配置され、このスクリーンマット２０５の後方には、第２反射ミラー２７１、第３反射ミラー２７３、第４反射ミラー２７５が配置され、第２反射ミラー２７１の後方には、測光用センサ２８１が、また第４反射ミラー２７５の後方には結像レンズ２７７およびファインダ内ＣＣＤ２７９（図３中では、Ｆ内ＣＣＤと略記）が配置されている。そして、第４反射ミラー２７５の反射光軸上には接眼レンズ２０９が配置されている。
【００２２】
上述の第１反射ミラー２０１の中央付近はハーフミラーで構成されており、この第１反射ミラー２０１の背面には、ハーフミラー部を透過した被写体光束を反射するためのサブミラー２０３が設けられている。このサブミラー２０３は、第１反射ミラー２０１に対して回動可能であり、第１反射ミラー２０１が撮影光路から退避し、被写体光束がメインＣＣＤ２２１に入射しているときには、ハーフミラー部を覆う位置に回動し、第１反射ミラー２０１が図示の如き被写体像観察位置にあるときには、第１反射ミラー２０１に対して垂直となる位置にある。この第１反射ミラー２０１はミラー駆動機構２１９によって駆動されている。また、サブミラー２０３の反射光路上に測距用センサを含む位相差方式の測距回路２１７が配置されており、この回路は、レンズ１０１ａ、１０１ｂによって結像される被写体像の焦点ズレ量を検出するための回路である。
【００２３】
第１反射ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には二次元撮像素子としてのメインＣＣＤ２２１が配置されており、レンズ１０１ａ、１０１ｂによって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。メインＣＣＤ２２１はＣＣＤ駆動回路２２３に接続され、このＣＣＤ駆動回路２２３によってアナログデジタル変換（ＡＤ変換）がなされる。ＣＣＤ駆動回路２２３は入出力回路２３９を介して後述するシーケンスコントローラ（以下、「ボディＣＰＵ」と称す）２２９から制御を受け、メインＣＣＤ２２１の電源のオン・オフ制御を行い、メインＣＣＤ２２１の撮像のタイミングを供給し、ファインダ内ＣＣＤ２７９の出力とのバラツキの調整を行い、光電変換信号の増幅（ゲイン調整）等を行う。後述するＣＣＤ駆動回路２８３も同様の機能を有する。ファインダ内ＣＣＤ２７９はスクリーンマット２０５に結像された被写体像を光電変換する撮像素子であり、メインＣＣＤ２２１と同様、ＣＭＯＳ等の撮像素子でもよく、また、画素数は、被写体像観察用に用いるだけなので、メインＣＣＤ２２１よりも少なくてもよい。このファインダ内ＣＣＤ２７９は、ＣＣＤ駆動回路２８３に接続され、このＣＣＤ駆動回路２８３によってアナログデジタル変換（AD変換）がなされる。
【００２４】
ＣＣＤ駆動回路２２３とＣＣＤ駆動回路２８３はＣＣＤ切換回路２８５に接続されており、このＣＣＤ切換回路２８５は入出力回路２３９からの切換制御ラインによって、いずれかのＣＣＤを選択出力するように制御される。ＣＣＤ切換回路２８５はＣＣＤインターフェース２２５を介して画像処理回路２２７に接続されている。この画像処理回路２２７は色補正、ガンマ(γ)補正、コントラスト補正、白黒・カラーモード処理、スルー画像処理といった各種の画像処理を行う。スルー画像関連機能については、図８、図９を用いて後述する。画像処理回路２２７は、ＡＳＩＣ２６３内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ（Synchronous Dynamic Random Access
Memory）制御回路２３６、入出力回路２３９、通信回路２４１、記録媒体制御回路２４３、ビデオ信号出力回路２４７、スイッチ検出回路２５３が接続されている。
【００２５】
このデータバス２６１に接続されているボディＣＰＵ２２９は、このデジタル一眼レフカメラのフローを制御するものである。またデータバス２６１に接続されている圧縮回路２３１は後述するＳＤＲＡＭ２３７に記憶された画像データ等をＪＰＥＧで圧縮するための回路である。なお、画像圧縮はＪＰＥＧに限らず、他の圧縮方法も適用できる。データバス２６１に接続されているフラッシュメモリ制御回路２３３は、フラッシュメモリ２３５に接続され、このフラッシュメモリ２３５は、電子カメラのフローを制御するためのプログラムが記憶されており、ボディＣＰＵ２２９はこのフラッシュメモリ２３５に記憶されたプログラムに従って電子カメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像情報または圧縮回路２３１によって圧縮された画像情報を一時的に記憶するためのメモリである。
【００２６】
上述のシャッタ駆動機構２１５、測距回路２１７、ミラー駆動機構２１９、ＣＣＤ駆動回路２２３、測光センサ２８１、ＣＣＤ駆動回路２８３、ＣＣＤ切換回路２８５を接続する入出力回路２３９は、データバス２６１を介してボディＣＰＵ２２９等の各回路とデータの入出力を制御する。レンズＣＰＵ１１１と図示しない通信接点を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、SDメモリカード(登録商標)、メモリスティック(登録商標)またはハードディスクドライブ（ＨＤ）等の書換え可能な記録媒体で構成され、カメラ本体２０に対して着脱自在となっている。
【００２７】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７または記録媒体２４５に記憶された画像データを、液晶モニタ２６に表示するためのビデオ信号に変換するための回路である。液晶モニタ２６はカメラ本体２０の背面に図１に図示されるごとく配置されているが、撮影者が観察できる位置であれば、背面に限らないし、また液晶に限らず他の表示装置でも構わない。レリーズ釦２１の第1ストロークや第２ストロークを検出するスイッチや、モードダイヤル２２、パワースイッチ２３、コントロールダイヤル２４、再生釦２７、メニュー釦２８、十字キー３０、ＯＫ釦３１、スルー画切換釦３４、表示切換釦３５、プレビュー釦３６、レンズ検出スイッチ〈不図示〉等を含む各種スイッチ２５５（図３では各種ＳＷと略記）は、スイッチ検出回路２５３を介してデータバス２６１に接続されている。
【００２８】
次に、画像処理回路２２７内に設けられているスルー画関連部位５０について、図８及び図９を用いて説明する。図８はファインダ視野率が１００％未満の場合を示し、図９はファインダ視野率が１００％以上の場合を示している。
被写体画像データを入力するスルー画表示用画像生成部５１はメインＣＣＤ２２１またはファインダ内２７９の出力信号を基にする被写体画像データを用いて液晶モニタ２６に表示するための観察用画像の生成を行う。このスルー画表示用画像生成部５１の出力は、Ａモード表示とＢモード表示の切換信号を制御部から受け、出力を切り換える切換スイッチ５３に接続されている。Ａモード切換信号を入力した場合には、切換スイッチ５３は、出力側を出力端５３ａに切り換え、Ｂモード切換信号を入力した場合には、出力側を出力端５３ｂに切り換える。出力端５３ｂはそのままスルー画像データとして出力され、一方出力端５３ａは、画像縮小部５５に接続され、この画像縮小部５５の出力端は枠画像合成部５７に接続され、この枠画像合成部５７の出力はスルー画像データとして出力される。
フラッシュメモリ２３５等の不揮発性メモリに記憶されている視野率データが読み出され、画像縮小部５５はこの読み出された視野率データを入力し、この視野率を用いてスルー画表示用画像生成部から出力される画像データを視野率に従って画像を縮小する。枠画像合成部５７は、画像縮小部５５によって縮小された画像の枠と液晶モニタ２６で表示枠の大きさが一致しておらず、画像が表示されない部分、すなわちファインダ内ＣＣＤ２７９では撮像不能範囲を示す黒枠と記録用画像の範囲を示す白枠の画像を生成し、画像縮小部５５から出力される画像に合成する。なお、前述の視野率データは、デジタルカメラの製造段階において、個々に視野率を測定し、フラッシュメモリ２３５等の不揮発性メモリに記憶しておく。但し、個々のバラツキが大きくない場合には、一律の視野率を不揮発性メモリに記憶しても良く、カメラの制御プログラムに固定値を記憶するようにしても構わない。
【００２９】
ファインダ視野率が１００％未満の場合であってＡモード表示の際には、切換スイッチ５３は端子５３ａ側に切換わる。この場合には、スルー画像データとしては、図１２（Ａ）に示されるような記録用画像の範囲を示す白枠３０７と、ファインダ内ＣＣＤ２７９では撮像不能範囲を示す帯状の黒枠３０９と、被写体像３０１の合成画像データが出力される。一方Ｂモード表示の際には、スルー画像データとしては、図１２（Ｂ）に示されるようなスルー画表示用画像生成部５１の出力がそのまま出力される。Ａモード表示における黒枠３０９は、ファインダ内ＣＣＤ２７９における視野範囲が広ければ被写体像が表示されるが、そこまで広範囲で撮像できないために黒枠表示としている。したがって、撮影者は、この黒枠３０９も含めて視野領域を認識することができ、Ｂモード表示の場合とほぼ同範囲の視野領域となることから、スルー画表示モードを切り換えても違和感を少なくすることができる。
【００３０】
ファインダ視野率が１００％以上の場合は、スルー画関連部位５０は図９に示されるような構成となる。スルー画表示用画像生成部５１と切換スイッチ５３は、１００％未満の場合と同じである。端子５３ａは画像切出部６１に接続されており、画像切出部６１は、不揮発性メモリから読み出された視野率データを入力し、この入力した視野率を用いてスルー画表示用画像生成部から出力される画像データを視野率に従って切り出す。すなわち、ファインダ内ＣＣＤ２７９によって撮像される視野領域がメインＣＣＤ２２１によって撮像される視野領域よりも広いため、ファインダ内ＣＣＤ２７９の出力から、メインＣＣＤ２２１によって撮像される視野領域に対応する部分の出力が選択され出力される。この画像切出部６１によって切り出された画像データは、画像拡大部６３に出力され、そこで画像の拡大がなされる。すなわち、切り出された画像そのままでは、液晶モニタ２６の表示画面の一部であり、全面となっていないことと、Ｂモード表示の場合の被写体像の大きさに比べ小さいことから、表示モードを切り換えたときに違和感がある。そこで、Ｂモード表示の場合とほぼ同一の被写体像の大きさ（倍率）となるように、画像拡大部６３は切り出された画像の拡大を行う。
【００３１】
ファインダ視野率が１００％以上の場合であってＡモード表示の際には、切換スイッチ５３は端子５３ａ側に切換わり、図１３（Ａ）に示されるようなＡＦフレーム３０３と共に被写体像をスルー画像データとして出力する。一方Ｂモード表示の際には、スルー画像データとしては、図１３（Ｂ）に示されるようなスルー画表示用画像生成部５１の出力がそのまま出力される。このように、ファインダ視野率が１００％以上の場合には、１００％未満の際に表示されていた帯状の黒枠３０９は、Ａモード表示でも表示されない。
【００３２】
視野領域や被写体画像の大きさ（倍率）を表示モードによって異なるとすると、図１１（Ａ）に示すＡモード表示と図１１（Ｂ）に示すＢモード表示のように、同じ被写体を見ていながら異なるように見えてしまい、撮影者は違和感を感じてしまう。しかし、本実施形態では、ファインダ視野率が１００％未満であっても以上であっても、Ａモード表示においてもＢモード表示と視野範囲がほぼ同じであり、また画像の大きさ〈倍率〉も同じであることから、いずれのモードであっても被写体像の観察時に違和感が少ない。
【００３３】
次に、図４を用いて、本実施形態におけるデジタル一眼レフカメラの表示・動作モードの階層構造を説明する。
主要な表示・動作モードは、情報表示Ｍ１００、Ａモード表示Ｍ２００およびＢモード表示Ｍ３００の３種類である。情報表示Ｍ１００は、カメラ本体２０が電源オンとなった状態で初期設定されている。この情報表示モードは、カメラの撮影にあたって基本的な情報の表示を行うものであって、液晶モニタ２６に、図１０（Ａ）に図示するような撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、感度、シャッタ速度、絞り値、補正値、画素数といった項目は、情報表示画面において十字キー３０を操作することによって項目を選択し、コントロールダイヤル２４の操作で数値を設定する。
【００３４】
Ａモード表示Ｍ２００は、スクリーンマット２０５に結像した被写体像をファインダ内ＣＣＤ２７９によって光電変換し、この光電変換信号に基づいて観察用の被写体像を液晶モニタ２６に表示するモードである。このモードでは、第１の反射ミラー２０１に備えられたサブミラー２０３を介して被写体光束が測距回路２１７に導かれるので、被写体像の観察と共に自動焦点検出動作も行うことができる。液晶モニタ２６での画面表示は、図１２（Ａ）または図１３（Ａ）に示すように、画面左下にＡモード表示であることを示すために「Ａ」（符号３０５参照）が表示されている。また、このモードではスクリーンマット２０５上に刻印されたＡＦフレーム３０３も視認できる。
【００３５】
Ｂモード表示Ｍ３００は、第１反射ミラー２０１を撮影光路から退避させ、シャッタ２１３を開放状態として、直接、被写体光束をメインＣＣＤ２２１上に結像させ、この被写体像を光電変換信号に変換し、この信号に基づいて観察用の被写体像を液晶モニタ２６に表示するモードである。このモードでは、ファインダ光学系中のハーフミラーを用いず、被写体光束を直接メインＣＣＤ２２１で受光することから、ＣＣＤ２２１に到達する光量の減少を防止でき、低輝度の被写体に対しても被写体像を十分表示することができる。なお、第１の反射ミラー２０１が退避してしまうことから自動焦点検出は不作動となり、ピント合わせは手動で行う。液晶モニタ２６の画面左下にＢモード表示であることを示すために、図１２（Ｂ）または図１３（Ｂ）に示すように、「Ｂ」（符号３０７参照）が表示されている。また、このモードでは測距回路２１７による測距は不能であるので、Ａモード表示とは異なり、ＡＦフレームは表示されない。なお、Ａモード表示やＢモード表示を示すための符号は、「Ａ」「Ｂ」に限らず、「メインＣＣＤ」「ファインダ内ＣＣＤ」等、記号、文字、絵文字等でも良いことは勿論である。
【００３６】
前述したように、カメラ本体２０を電源オンとしたときには、情報表示Ｍ１００が初期設定される。この情報表示Ｍ１００からＡモード表示Ｍ２００またはＢモード表示Ｍ３００への切換は表示切換釦３５を操作することによって行われる。この場合、表示切換釦３５を操作すると、直近に設定されていたＡモード表示Ｍ２００またはＢモード表示Ｍ３００に切換えられる。なお、工場出荷時には、Ａモード表示をデフォルト値としておくと（勿論、Ｂモード表示も可能である）、最初、表示切換釦３５を操作した際に、Ａモード表示Ｍ２００に切換わり、再度、表示切換釦３５を操作すると情報表示Ｍ１００に戻る。Ａモード表示Ｍ２００に設定された際に、スルー画表示切換釦３４を操作するとＢモード表示Ｍ３００に切換わり、この状態で、再度、スルー画表示切換釦３４を操作すると、Ａモード表示Ｍ２００に戻る。Ｂモード表示Ｍ３００で表示切換ボタン３５を操作すると情報表示Ｍ１００に戻る。つまり、情報表示Ｍ１００からＡモード表示Ｍ２００またはＢモード表示Ｍ３００への切換は、表示切換ボタン３５を操作することによって、直近に設定されていたモードに移行し、Ａモード表示Ｍ２００とＢモード表示Ｍ３００間の切換はスルー画表示切換釦３４によって行うよう構成されている。
【００３７】
ここで、Ａモード表示Ｍ２００とＢモード表示Ｍ３００に設定されていたことは不図示の不揮発性メモリに記憶されているので、カメラ本体２０の電源がオフされたとしても、記憶が保持される。ただし、電源のオンに応じて、Ａモード表示かＢモード表示のいずれかにリセットするようにしても良いことは勿論である。なお、特殊なケースとして、レンズ鏡筒１０がカメラ本体２０から取り外されたことをレンズ検出スイッチ〈不図示〉によって検出した場合には、Ｂモード表示Ｍ３００から情報表示Ｍ１００に切換わる。
【００３８】
このように本実施形態では、被写体光束の光量は減少するが、自動焦点調節を行うことのできるＡモード表示と、自動焦点調節は不作動となるが、被写体光束の光量は減少せずに低輝度でも十分に被写体像を表示できるＢモード表示とを簡単な操作で切換えるようにしている。
【００３９】
次に、情報表示Ｍ１００の下部階層について説明する。情報表示Ｍ１００の状態で、プレビュー釦３６を押しオンとすると、プレビューＣが実行され（Ｍ１１０）、プレビュー釦３６から手を離しオフとすると、情報表示Ｍ１００に戻る。情報表示Ｍ１００で、レリーズ釦２１の半押しを行うと（１Ｒオン）、測光、測距等の撮影準備動作を行い（Ｍ１２０）、さらにレリーズ釦２１の全押しを行うと（２Ｒオン）、メインＣＣＤ２２１の出力を読み出し、記録用画像データを記録媒体２４５に記録する撮影動作Ｃを実行する（Ｍ１２１）。撮影動作が終了し、レリーズ釦２１の半押しを解除（１Ｒオフ）すると、情報表示Ｍ１００に戻る。また、メニュー釦２８をオンにすると、図１０（Ｂ）に図示するようなカードセット、ドライブモード、フラッシュ補正等を設定するメニュー画面が現われる（Ｍ１３０）。この画面で十字キー３０を操作することによりカーソルを移動させ、好みの項目を選択し、ＯＫ釦３１を押すことによって決定することができる（Ｍ１３１）。メニュー表示Ｍ１３０から、メニュー釦２８またはＯＫ釦３１をオンにすると、情報表示Ｍ１００に戻ることができる。さらに、情報表示Ｍ１００の画面（図１０（Ａ））において、モードダイヤル２２、コントロールダイヤル２４や十字キー３０を操作して好みのモード・値に設定できる（Ｍ１４０）。
【００４０】
次にＡモード表示Ｍ２００の下部階層に移って、まず、Ａモード表示Ｍ２００でプレビュー釦３６を押しオンとすると、プレビューＡを実行する（Ｍ２１０）。プレビューＡは、設定された絞り値まで絞り１０３を絞り込んだ状態でメインＣＣＤ２２１からの画像信号に基づいて被写体像を液晶モニタ２６に表示するモードである。プレビュー釦３６から手を離し、オフとすることにより、プレビューモードを解除し、Ａモード表示Ｍ２００に戻る。
【００４１】
Ａモード表示において、レリーズ釦２１が半押しされ１Ｒがオンとなると、撮影準備動作Ｍ１２０と同様に撮影準備が行われ（Ｍ２２０）、さらにレリーズ釦２１が全押しされ２Ｒがオンとなると、撮影動作Ａが行われる（Ｍ２２１）。また、メニュー釦２８をオンすると、図１０（Ｂ）に示すメニュー画面が現わる（Ｍ２３０）。この状態で、十字キー３０を操作し、カーソルを移動させ項目を選択し、ＯＫ釦３１で所望の項目を決定し、メニュー表示Ｍ２３０に戻る（Ｍ２３１）。この表示状態でメニュー釦２８またはＯＫ釦３１のオンで、Ａモード表示Ｍ２００に戻る。
【００４２】
次に、Ｂモード表示Ｍ３００の下部階層に移って、まず、Ｂモード表示Ｍ３００でメニュー釦２８が押されオンになると、図１０（Ｂ）に示されるようなメニュー表示となる（Ｍ３１０）。ここで、十字キー３０を操作し（Ｍ３１１）、好みの項目をＯＫ釦３１によって決定すると、メニュー表示Ｍ３１０に戻る。メニュー表示からは、メニュー釦２８またはＯＫ釦３１をオンとすることにより、Ｂモード表示Ｍ３００に戻ることができる。Ｂモード表示状態で、レリーズ釦２１が半押しされていても、第１反射ミラーが退避状態にありシャッタが開放状態であるので、特に何も動作しないが、レリーズ釦２１が全押しされ２Ｒがオンとなると、メインＣＣＤからの画像信号に基づいて記録用画像データを記録媒体２４５に記録する撮影動作Ｂを実行する（Ｍ３２０）。また、プレビュー釦３６がオンとなると、絞り１０３の絞込み動作を行い、メインＣＣＤ２２１からの画像信号に基づいて液晶モニタ２６にスルー画表示を行うプレビューＢを実行する（Ｍ３３０）。このプレビューＢもプレビューＡと同様に、設定された絞り値まで絞り１０３を絞り込んだ状態でメインＣＣＤ２２１からの画像信号に基づいて被写体像を液晶モニタ２６に表示するモードである。
【００４３】
次に、図４に示した表示・動作モードの詳細について、図５乃至図７に示すフローチャートを用いて説明する。図５は図４に示すＡモード表示Ｍ２００のフローチャートである。前述したように表示切換釦３５がオンとなるとファインダ内ＣＣＤ２７９からの出力に基づいて被写体像を表示するＡモード表示の動作を行う。まず、ファインダ内ＣＣＤ２７９の駆動条件を決めるために、ステップＳ１において、測光センサ２８１の出力に基づいて測光・露光量演算（即ち、被写体輝度値、シャッタスピードと感度を求める）を行う。次に、ファインダ内ＣＣＤ２７９を選択し（Ｓ３）、これに電源を供給する（Ｓ５）。続いて、ＣＣＤ駆動にあたっての電子シャッタスピードと感度の条件設定を行うために、ステップＳ１で求めた測光・露光量の演算結果を用いてスルー画条件設定１のサブルーチンを実行する（Ｓ７）。このサブルーチンの実行によって液晶モニタ２６に適切な明るさ（明度）の像を表示することができるが、このサブルーチンの詳細は図７を用いて後述する。続いて、視野率データの設定を行う。この視野率データは、前述したようにＢモード表示における視野率を１００％とした場合、Ａモード表示の視野領域の割合を示すデータであり、画像縮小部５５や画像切出部６１に設定される。視野率データの設定が終了すると、Ａモード表示を開始する（Ｓ９）。Ａモード表示は前述したように、ファインダ視野率が１００％未満であれば図１２（Ａ）、１００％以上であれば図１３（Ａ）のような表示となる。なお、スルー画表示動作の制御は、この開始指示を受けて画像処理回路２２７にて行われる。
【００４４】
次に、ステップＳ１と同様に再び測光・露光量演算を行い（Ｓ１１）、演算された露光量の表示を行う（Ｓ１３）。続いて、液晶モニタ２６におけるスルー画表示の明度を適切に保つためにスルー画条件設定２のサブルーチンを実行する（Ｓ１５）。ステップＳ７でのスルー画条件設定１は液晶モニタ２６でのＡモード表示前であったので、測光センサ２８１の出力に基づいて行ったが、スルー画条件設定２では、狙いとする明度と前回撮像結果に基づく画面明度と差分から次回撮像時の電子シャッタスピードと感度を決定する。なお、ここで、明度とは、例えば、ＣＣＤの各画素出力の加重平均値に対応した値である。この後、レリーズ釦２１が半押しされたかどうか、即ち、１Ｒがオンとなったかを判定する（Ｓ２１）。
【００４５】
判定の結果、１Ｒがオンの場合には、撮影動作時の露光制御に使用するための測光・露光量演算を行い（Ｓ２３）、測距・焦点調節のサブルーチンを実行する（Ｓ２５）。測距・焦点調節のサブルーチンは、測距回路２１７の出力に基づいて撮影レンズ１０１の焦点ズレ量を演算し、この焦点ズレ量に基づいてレンズ駆動量を演算し、レンズＣＰＵ１１１を介してレンズ駆動機構１０７を駆動し、ピント合わせを行う。続いて、レリーズ釦２１が全押しされたかどうか、即ち、２Ｒがオンとなったかを判定し、オフの場合には、レリーズ釦２１が半押しのままかどうかを判定し（Ｓ２９）、オンの場合には、ステップＳ２７とＳ２９を繰り返し実行する待機状態となる。この状態でレリーズ釦２１から撮影者の手が離れると、ステップＳ２９をＮで抜け、再びステップＳ１１に戻る。一方、レリーズ釦２１の全押しがなされると、ステップＳ３１に進み、Ａモード表示を停止し、即ち、液晶モニタ２６でスルー画表示を行っていたことを止め、ファインダ内ＣＣＤ２７９の電源をオフし（Ｓ３３）、撮影動作Ａに移る（Ｍ２２１）。撮影動作Ａでは、第１反射ミラー２０１を撮影光路から退避させ、絞り１０３を設定値まで絞込み、シャッタ２１３を開放し、メインＣＣＤ２２１による撮像動作を行った後、第１反射ミラー２０１を反射位置に戻し、また絞り１０３とシャッタ２１３を初期位置に戻すという公知の動作を実行する。撮影動作が終了すると、ステップＳ１に戻り、前述のステップを繰り返す。
【００４６】
ステップＳ２１に戻り、１Ｒがオフの場合には、ステップＳ４１において、プレビュー釦３６がオンかどうかを判定する。オンの場合には、Ａモード表示を固定し、即ち、液晶モニタ２６に表示されているスルー画としての表示用被写体画像の更新を行うことなく、そのまま保持する（Ｓ４３）。これは、プレビュー動作では絞り１０３が絞り込まれ、被写体輝度が低下する際に、スルー画条件の設定が十分追従できず、画像の明るさが不自然に変化する。この不自然な変化を防止するために、画像が安定するまで、スルー画の更新を停止するものである。この後、プレビューＡ（Ｍ２１０）に移り、絞り１０３を設定値に絞り込んだ状態でメインＣＣＤ２２１の出力に基づいて液晶モニタ２６に被写体像をスルー画表示する。このプレビューＡが終了すると、ステップＳ１に戻り、前述のステップを繰り返す。
【００４７】
ステップＳ４１に戻り、プレビュー釦３６がオフであった場合には、ステップＳ４５に進み、表示切換釦３５が押されたかどうか、即ち、オンかどうかを判定する。オンであった場合には、図４で説明した情報表示Ｍ１００に戻る。オフであった場合には、ステップＳ４７に進み、メニュー釦２８が押されたかどうか、即ち、オンかどうかを判定し、オンの場合には、図４で説明したメニュー表示Ｍ２３０に進む。メニュー釦２８がオフの場合には、ステップＳ４９に進み、スルー画切換釦３４がオンか否かを判定する（Ｓ４９）。オフだった場合には、いずれの釦も操作されていない状態であるので、ステップＳ１１に戻り、前述したフローを繰り返す。Ａモード表示Ｍ２００の状態で、スルー画表示釦３４が操作されると、前述したように、Ｂモード表示Ｍ３００に切換えられる。そこで、Ｓ４９でオンと判定された場合には、まず、ステップＳ４３と同様に、Ａモード表示の固定を行ってから、Ｂモード表示（Ｍ３００）に進む。
【００４８】
次に図６を用いてＢモード表示Ｍ３００のフローを説明する。Ｂモード表示に入ると、まず、メインＣＣＤ２２１を選択し（Ｓ６１）、このメインＣＣＤ２２１に電源の供給を開始する（Ｓ６３）。次に、ステップＳ１と同様に、測光・露光量演算を行い（Ｓ６５）、第１反射ミラー２０１を軸２０１ａ回りに回動させ、撮影光路から退避させる（Ｓ６７）。続いて、フォーカルプレーンシャッタ２１３を開放状態とし（Ｓ６９）、被写体像をメインＣＣＤ２２１上に結像させる。ステップＳ７と同様に、スルー画表示条件の設定１のサブルーチンを実行し（Ｓ７１）、Ｂモード表示でのスルー画表示を開始させる（Ｓ７３）。Ａモード表示Ｍ２００からＢモード表示Ｍ３００に切換えた場合には、ステップＳ５１のＡモード表示固定からステップＳ７３のＢモード表示開始までの間、液晶モニタ２６の表示は固定されているが、このステップＳ７３においてＢモード表示、即ち、メインＣＣＤ２２１から出力される画像信号に基づくスルー画表示に切換わる。Ｂモード表示は前述したように、ファインダ視野率が１００％未満であれば図１２（Ｂ）、１００％以上であれば図１３（Ｂ）のような表示となる。なお、スルー画表示動作の制御は、この開始指示を受けて画像処理回路２２７にて行われる。次に、タイマーをスタートさせステップＳ８１に進む。
【００４９】
ステップＳ８１では、レリーズ釦２１が全押しされているか、即ち、２Ｒがオンかを判定し、オンの場合には、撮影動作に進む。まず、液晶モニタ２６に表示されているスルー画表示を止め、即ちＢモード表示を停止し（Ｓ８３）、フォーカルプレーンシャッタ２１３と第１反射ミラー２０１を初期状態に戻す（Ｓ８５、Ｓ８７）。この後、撮影動作Ｂ（Ｍ３２０）に移り、シャッタ２１３を開放し、メインＣＣＤ２２１による撮像動作を行った後、絞り１０３とシャッタ２１３を初期位置に戻す。この撮影動作Ｂが終了すると、ステップ６１に戻り、前述のステップを繰り返す。ステップＳ８１に戻り、２Ｒがオフの場合にはステップＳ９１に進み、プレビュー釦３６がオンか否かを判定する。オンだった場合にはプレビュー動作に入り、Ｂモード表示の固定を行う（Ｓ９３）。これはステップＳ４３のＡモード表示の固定と同様、絞込み時に画像の明るさが不自然に変化することを防止するためである。この後、プレビューＢ（Ｍ３３０）に進み、絞り１０３を設定値に絞り込んだ状態で、メインＣＣＤ２２１の出力に基づいて液晶モニタ２６に被写体像をスルー画表示する。
【００５０】
ステップＳ９１に戻り、プレビュー釦３６がオフだった場合には、ステップＳ１０１にて表示切換釦３５がオンか否かの判定を行う。オンだった場合には、情報表示Ｍ１００に戻るが、その前にＢモード表示を終了するための処理をＳ１０３からＳ１０９にて行う。まず、Ｂモード表示を停止し（Ｓ１０３）、フォーカルプレーンシャッタ２１３を閉じ、第１反射ミラー２０１を退避位置からファインダ光学系に光束を反射する位置に復帰させ（Ｓ１０７）、メインＣＣＤ２２１の電源をオフする（Ｓ１０９）。これらの動作が終了すると、情報表示Ｍ１００に移る。
【００５１】
ステップＳ１０１に戻り、表示切換釦３５がオフだった場合には、ステップＳ１１１に進みメニュー釦２８がオンか否かを判定する。判定の結果、オンだった場合には、メニュー表示Ｍ３１０表示を行うが、その前にＢモード表示でのスルー画表示を停止するための処理をステップＳ１１３からＳ１１９にて行う。この処理は、前述のステップＳ１０３からＳ１０９と同様であるので、説明は省略する。
【００５２】
ステップＳ１１１に戻り、判定の結果、オフだった場合には、ステップＳ１２１にてスルー画切換釦３４がオンか否かを判定する。判定の結果、オンだった場合には、Ｂモード表示Ｍ３００からＡモード表示Ｍ２００に切換えるが、その前にステップＳ１２３からＳ１２９にて切換処理を行う。まず、ステップＳ１２３にてＢモード表示の固定を行う。これはスルー画表示モードの切換時の画像の乱れを防止するためである。続くステップＳ１２５からＳ１２９は、前述のステップＳ１０５からＳ１０９と同様であるので、説明は省略する。
【００５３】
ステップＳ１２１に戻り、判定の結果、オフだった場合には、ステップＳ１３１に進み、カメラ本体２０からレンズ鏡筒１０が外されたか否かを、レンズ検出スイッチ〈不図示〉の出力に基づいて判定する。判定の結果Ｙｅｓだった場合、即ち、レンズ鏡筒１０が取り外された場合には、情報表示Ｍ１００を行う。Ｂモード表示では、第１反射ミラー２０１が撮影光路から退避し、フォーカルプレーンシャッタ２１３が開放状態となっている。このため、メインＣＣＤ２２１が外部に直接、露出した状態となってしまい、塵芥等が付着するおそれがある。したがって、Ｂモード表示Ｍ３００を終了することによって、メインＣＣＤ２２１の撮像面に塵芥等が付着することを防止する。Ｂモード表示を終了するために、ステップＳ１３３からＳ１３９にて処理を行うが、これらのステップは前述のステップＳ１０３からＳ１０９と同様であるので、説明は省略する。
【００５４】
ステップＳ１３１に戻り、判定の結果、Ｎｏだった場合には、レンズ鏡筒１０は装着されたままであり、ステップＳ１４１に進み、ステップＳ７５でスタートしたタイマーの値が、所定時間、経過したか否かを判定する。判定の結果、所定時間が経過していない場合には、ステップＳ１４３にて、スルー画条件の設定２のサブルーチンを実行した後、前述のステップＳ８１に進む。一方、所定時間が経過した場合には、Ｂモード表示を終了し、情報表示Ｍ１００を行うために、ステップＳ１３３に進む。このように、Ｂモード表示が所定時間経過すると終了するようにしているのは、Ｂモード表示を長時間連続すると、メインＣＣＤが発熱し、その出力画像にノイズが発生するおそれがあるためである。
【００５５】
以上説明したように、本実施形態においては、Ａモード表示とＢモード表示の切換時における被写体像の乱れを防止するために、モニタにおける被写体像をフリーズしている。即ち、Ａモード表示からＢモード表示への切換時は、ステップＳ５１からステップＳ７３までＡモード表示でフリーズし、Ｂモード表示からＡモード表示への切換時は、ステップＳ１２３からＳ９までＢモード表示でフリーズしている。なお、フリーズの終了は所定の動作に応じて行う方法の他、例えば、画像が安定するまでの所定時間フリーズする等、種々の方法を適宜選択すればよい。また、本実施形態では、Ａモード表示とＢモード表示の両方の切換時に表示のフリーズを行っていたが、いずれかの表示モードのみに対しても適用できる。
【００５６】
また、Ｂモード表示では、レンズ鏡筒１０が外されたことを検出した場合には、Ｂモード表示を停止するようにしているので、撮影者に対して警告表示になる。さらに、撮像素子を覆うようにシャッタおよび可動ミラーを駆動しているので、塵芥の付着を防止できる。本実施形態では、第１反射ミラー２０１とフォーカルプレーンシャッタ２１３の両方で、メインＣＣＤ２２１を覆うようにしているが、いずれか一方のみでメインＣＣＤ２２１を覆うようにしても、十分、塵芥等の付着を防止できる。なお、Ａモード表示で使用するＣＣＤ２７９はファインダ内にあるために塵芥の付着のおそれは殆どないので、レンズ鏡筒１０が外されてもＡモード表示を続行するように構成してあるが、外されたことを検出した場合にはＡモード表示を停止し、情報表示Ｍ１００を表示するようにしても良いことは勿論である。
【００５７】
次に、「スルー画条件の設定１」と「スルー画条件設定２」について図７を用いて説明する。このサブルーチンは前述したように、液晶モニタ２６に被写体画像を表示する際の画像明度の調整を行うためのものである。まず、スルー画条件設定１のサブルーチンに入ると、ステップＳ３４１において、測光センサ２８１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ３４７）。ＣＣＤ駆動回路２２３又はＣＣＤ駆動回路２８３は、ここで設定・記憶されたＴＶ１とＳＶ１に基づいてＣＣＤ２２１又は２７９の駆動制御を行い、光電変換信号の読み出しを行う。
【００５８】
続いてステップＳ３４９以下において、撮影レンズ１０１を通過した被写体光量が減少した場合の対策を行う。メインＣＣＤ２２１またはファインダ内ＣＣＤ２７９に受光する光量が減少した場合に、液晶モニタ２６の画面を一定明度に保つため、電子シャッタスピードを遅くし、また感度（増幅率）をアップするようにしている。しかし、感度を上げるとノイズが多くなり、ざらざらとした画面となる。そこで、ＣＣＤに受光する被写体光量が少ない場合には、情報量が少なくてすむ白黒モードにし、一方、光量が多い場合には、カラーモードで表示するようにしている。この場合、白黒とカラーの切換を一つの閾値とすると、被写体光量がこの閾値前後で変化する場合には、白黒とカラーが小刻みに変化し、見苦しいものとなる。そこで、白黒とカラーの切換を行うための閾値にヒステリシス特性を持たせている。
【００５９】
まず、ステップＳ３４９において、現在の表示が白黒モードか否かの判定を行う。カラーモードと白黒モードの設定は、画像処理回路２２７によってなされるので、ここでの判定は画像処理回路２２７に設定されているモードに基づいて行う。判定の結果、カラーモードであった場合には、ステップＳ３５１に進み、ＴＶ１−ＳＶ１＜αか否か、即ち、電子シャッタスピードと感度の差が所定値（閾値）αより小さいか否かの判定を行う。ここで、所定値αは適宜、設計値として設定すればよいが、例えば、電子シャッタスピードＴＶ１の下限値としては１／１６秒（ＴＶ＝４）、感度ＳＶ１の上限値はＩＳＯ１６００（ＳＶ＝９）とすると、所定値α＝４−９＝−５となる。所定値αより小さい場合には、即ち、被写体光量が少なく暗い場合には、画像処理回路２２７を白黒モードに設定し（Ｓ３５３）、元のフローに戻る。ステップＳ３５１でＴＶ１−ＳＶ１が所定値αより大きかった場合には、被写体光量が十分あり明るいので、そのまま画像処理回路２２７のカラーモードの設定を変えず、元のフローに戻る。
【００６０】
ステップＳ３４９に戻り、現在、白黒モードであった場合には、ステップＳ３５５に進み、ＴＶ１−ＳＶ１＜α＋Δαか否かの判定を行う。Δαも、適宜、設計値を設定すればよいが、白黒とカラーの切換が頻繁に起こらず、かつ見易い画面となる値として０．５より大きく１．５より小さな値が好ましく、さらに好ましくはΔα＝１である。ステップＳ３５５での判定の結果ＴＶ１−ＳＶ１がα＋Δαよりも小さかった場合には、被写体光量が少ないことから、白黒モードを維持して、そのまま元のフローに戻る。一方、ＴＶ１−ＳＶ１がα＋Δαよりも大きくなった場合には、白黒モードを解除して（Ｓ３５５）、カラーモードを画像処理回路２２７に設定して元のフローに戻る。
【００６１】
次に、「スルー画条件設定２」を説明する。設定２のサブルーチンに入ると、まず、狙いの画像明度（所定値）と前回撮像時の画像明度との差ΔＥＶを算出する（Ｓ３４３）。続いて、画像明度が一定となるように、次回撮像時の電子シャッタスピードＴＶ１と感度ＳＶ１を決定する（Ｓ３４５）。この決定にあたっては、次の要素から求める。
・開放絞り値ＡＶｓ
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶｓ＋ＴＶ０＝ＢＶ０＋ＳＶ０  
である。
【００６２】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶｓ＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ３４５を終了すると、前述したステップＳ３４７に進み、所定のステップを実行した後、元のフローに戻る。
【００６３】
このスルー画条件設定のサブルーチンにおいて、被写体光量が少ない場合には、白黒モードに設定するようにしたので、暗い場合でもモニタ画像にノイズや、ざらつきを少なくすることができる。また、カラーと白黒の切換時にヒステリシス特性をもたせたので、小刻みに白黒とカラーに切換わることがなく見やすくなる。なお、白黒モードに入るかどうかと白黒モードを解除するかどうかの判定は、本実施形態においては、電子シャッタスピードＴＶ１と感度ＳＶ１との差に基づいて行っているが、両方を同じデータに基づかなくてもよい。例えば、白黒モードに入るかどうかはＴＶ−ＳＶ値とし、解除はＳＶ値に基づいて判定してもよく、また、白黒モードに入るときには、ＴＶ値だけとし、解除はＳＶ値に基づくようにしてもよい。
【００６４】
また、本実施形態では、カラーモードと白黒モードの切換としているが、これに限らず、白黒に代えてセピア調にしてもよく、他の単色での表示にしてもよいことは勿論である。さらに、単色モードの代わりに、カラーモードでの彩度を変更するようにしてもよい。例えば、色彩を表すに８ビット使用している場合に、被写体輝度が暗い場合に、色彩を表すに４ビットに減らす等、彩度を低下させてもスルー画表示のちらつきを減少させることができる。
【００６５】
本実施形態のデジタルカメラは、被写体像記録用の第１の撮像素子としてのメインＣＣＤ２２１で取得された画像データに基づいてスルー画表示を行う第１のスルー画表示動作と、被写体像観察用のファインダ光学系中に配置された第２の撮像素子としてのファインダ内ＣＣＤ２７９で取得された画像データに基づいてスルー画表示動作を行う第２のスルー画表示動作が選択可能であり、ファインダ光学系の視野率に応じて第２の撮像素子としてのファインダ内ＣＣＤ２７９で取得された画像データを加工するスルー画関連部位５０を備えているので、視野率の相違を撮影者が意識することなく、直感的に撮影範囲を認識することができる。
【００６６】
また、本実施形態では、視野率が１００％未満の場合には、視野率に応じて第２の撮像素子としてのファインダ内ＣＣＤ２７９で取得された画像データを縮小する画像縮小部５５を備えているので、視野率が１００％未満の場合でも撮影者が視野率の相違を意識することなく、直感的に撮影範囲を認識することができる。
さらに、本実施形態では、画像縮小部５０によって縮小された画像データの周囲に所定の枠画像３０９を合成して、第２のスルー画表示用の画像を生成しているので、撮影者が対応する画像領域を明瞭に認識することができ、直感的に撮影範囲を認識できる。
【００６７】
さらに、本実施形態では、視野率が１００％以上の場合には、第２の撮像素子としてのファインダ内ＣＣＤ２７９で取得された画像データの第１スルー画表示動作の撮像領域に一致する領域を切り出して拡大するようにしたので、視野率が１００％以上の場合でも撮影者が視野率の相違を意識することなく、直感的に撮影範囲を認識することができる。
さらに、本実施形態では、製造段階で測定された個別の視野率データをフラッシュメモリ２３５等の不揮発性メモリに記憶させ、スルー画関連部位５０は不揮発性メモリから読み出された視野率データに基づいて第２の撮像素子としてのファインダ内ＣＣＤで取得された画像データを加工するようにしているので、個々のデジタルカメラに視野率にバラツキがあっても視野率の相違を意識することなく、直感的に撮影範囲を認識することができる。
【００６８】
さらに、本実施形態では、第１のスルー画表示の被写体像の大きさと、第２のスルー画像の被写体像の大きさがほぼ同じとなるように画像データの縮小を画像縮小部５５で行い、
または拡大を画像拡大部６３で行うようにしているので、被写体像の大きさの相違を撮影者が意識することなく、直感的に撮影範囲を認識することができる。
さらに、本実施形態では、第１のスルー画表示における視野領域と、第２のスルー画表示における視野領域がほぼ同じとなるように画像データを画像縮小部５５や画像切出部６１にて加工しているので、視野領域の相違を撮影者が意識することなく、直感的に撮影範囲を認識することができる。
【００６９】
さらに、本実施形態では、被写体像観察用のファインダ光学系中に配置された撮像素子としてのファインダ内ＣＣＤ２７９で取得された画像データに基づいてスルー画表示動作を行い、ファインダ光学系の視野率に応じてファインダ内ＣＣＤ２７９で取得された画像データを加工するようにしたので、被写体像観察用のファインダ内ＣＣＤ２７９の出力に基づいて被写体像を液晶モニタ２６に表示する際に視野率についても考慮され撮影範囲等を直感的に認識することができる。
【００７０】
なお、本発明は、デジタル一眼レフカメラに限らず、被写体観察用の撮像素子と画像情報データ記録用の撮像素子の両方を選択的に表示できる電子カメラであれば適用でき、さらに、被写体像観察用の撮像素子を有する電子カメラにおいても適用できることは勿論である。
【図面の簡単な説明】
【００７１】
【図１】本発明の一実施形態に係わるデジタル一眼レフカメラの外観斜視図である。
【図２】本発明の一実施形態に係わるデジタル一眼レフレックスカメラの光学的な概略構成を示すブロック図である。
【図３】本発明の一実施形態に係るデジタル一眼レフカメラの全体構成を示すブロック図である。
【図４】本発明の一実施形態におけるデジタル一眼レフカメラの表示モードおよびその動作モード・メニューの階層構造を示すブロック図である。
【図５】本発明の一実施形態におけるＡモード表示のフローチャートである。
【図６】本発明の一実施形態におけるＢモード表示のフローチャートである。
【図７】本発明の一実施形態におけるスルー画条件の設定１とスルー画条件の設定２のフローチャートである。
【図８】本発明の一実施形態において、ファインダ視野率が１００％未満の場合の画像処理回路内のスルー画関連機能部位を示すブロック図である。
【図９】本発明の一実施形態において、ファインダ視野率が１００％以上の場合の画像処理回路内のスルー画関連機能部位を示すブロック図である。
【図１０】本発明の一実施形態における液晶モニタにおける表示であって、（Ａ）は情報表示画面、（Ｂ）はメニュー表示画面を示す。
【図１１】本発明を適用していない場合における液晶モニタでのスルー画表示モードの表示画面であり、（Ａ）はＡモード表示、（Ｂ）はＢモード表示を示す。
【図１２】本発明の一実施形態における視野率が１００％未満の場合の液晶モニタにおけるスルー画表示モードの表示画面であり、（Ａ）はＡモード表示、（Ｂ）はＢモード表示を示す。
【図１３】本発明の一実施形態における視野率が１００％以上の場合の液晶モニタにおけるスルー画表示モードの表示画面であり、（Ａ）はＡモード表示、（Ｂ）はＢモード表示を示す。
【符号の説明】
【００７２】
１０  レンズ鏡筒
２０  カメラ本体
２１  レリーズ釦
２２  モードダイヤル
２３  パワースイッチ
２４  コントロールスイッチ
２６  液晶モニタ
２７  再生釦
２８  メニュー釦
３０  十字キー
３１  ＯＫ釦
３３  ファインダ
３４  スルー画切換釦
３５  表示切換釦
３６  プレビュー釦
２０１  第1反射ミラー
２１３  フォーカルプレーンシャッタ
２２１  メインＣＣＤ
２２９  ボディＣＰＵ
２７９  ファインダ内ＣＣＤ
２２７  画像処理回路
２８５  ＣＣＤ切換回路
【図１】
2007281952.tif 000003
【図２】
2007281952.tif 000004
【図３】
2007281952.tif 000005
【図４】
2007281952.tif 000006
【図５】
2007281952.tif 000007
【図６】
2007281952.tif 000008
【図７】
2007281952.tif 000009
【図８】
2007281952.tif 000010
【図９】
2007281952.tif 000011
【図１０】
2007281952.tif 000012
【図１１】
2007281952.tif 000013
【図１２】
2007281952.tif 000014
【図１３】
2007281952.tif 000015